(57)【要約】【課題】筒体に折曲げ接合されている蓋を取り外すことができる蓋取り具を提供すること。【解決手段】筒体に折曲げ接合されている蓋を取り外すことができるようにした蓋取り具１００であって、第一の部材１０１と第二の部材１０２とを軸１０３により連結し、第一の部材１０１の一端には、第二の部材１０２に向かって凸となる突起部１０４Ａ、１０４Ｂが設けられており、第二の部材１０２には、突起部１０４Ａ、１０４Ｂに対向する位置に押え部１０５が設けられており、突起部１０４Ａ、１０４Ｂを筒体と蓋とが折曲げ接合されている折曲げ端部の方向から折曲げ部の内部方向に挿入し、突起部１０４Ａ、１０４Ｂと押え部１０５との間に折曲げ部を挟み込み、この折曲げ部を折り返すことによって、蓋を筒体から取り外すことができるようにしたことを特徴とする蓋取り具１００を提供する。【選択図】　図１
2004010133.tif 000002
【特許請求の範囲】
【請求項１】
筒体に折曲げ接合されている蓋を取り外すことができるようにした蓋取り具であって、
第一の部材と第二の部材とをその長さ方向における任意の一点において軸により回動可能に連結し、
前記第一の部材の一端には、前記第二の部材に向かって凸となる突起部が設けられており、
前記第二の部材には、前記突起部に対向する位置に押え部が設けられており、
前記突起部を前記筒体と前記蓋とが折曲げ接合されている折曲げ端部の方向から折曲げ部の内部方向に挿入し、
前記突起部と前記押え部との間に前記折曲げ部を挟み込み、前記折曲げ部を折り返すことによって、前記蓋を前記筒体から取り外すことができるようにしたことを特徴とする蓋取り具。
【請求項２】
前記突起部は前記第一の部材の外側において前記第一の部材と平行に延びるように設けられ、前記押え部は前記突起部に対応して前記第二の部材の外側に設けられていることを特徴とする請求項１に記載の蓋取り具。
【請求項３】
前記突起部は、前記第一の部材の両側に二つ設けられており、前記押え部は二つの前記突起部の双方に対向する長さを有するものとして形成されていることを特徴とする請求項２に記載蓋取り具。
【請求項４】
前記押え部には、前記突起部の方向に凸となる引っ掛け部が設けられており、
前記引っ掛け部は、前記突起部と前記押え部との間に前記折曲げ部を挟み込む場合に、前記押え部の方向に凸となっている前記折曲げ部に引っ掛けることができるようにしたことを特徴とする請求項１乃至３の何れか一項に記載の蓋取り具。
【請求項５】
前記突起部は、磁気を帯びていることを特徴とする請求項１乃至４の何れか一項に記載の蓋取り具。
【発明の詳細な説明】
【０００１】
【発明の属する技術分野】
本発明は、蓋取り具に関する。特に、筒体に折曲げ接合されている蓋を取り外すことができる蓋取り具に関する。
【０００２】
【発明が解決しようとする課題】
通常、飲料用の缶は、筒体はスチールで、蓋はアルミニウムで作製されており、筒体と蓋とはその端部を折曲げることにより折曲げ接合されている。
【０００３】
この点、異なる素材で作られている缶をリサイクルする場合には、素材ごとに分別する必要があり、上記のように筒体と蓋とを折曲げ接合している場合には、筒体から蓋を取り外すのが困難であった。
【０００４】
また、従来からある缶切りを使用した場合でも、筒体と蓋の接合部に蓋の一部が残ってしまい、筒体と蓋とを完全に分離して回収することはできなかった。
【０００５】
そこで、本発明は、筒体に折曲げ接合されている蓋を取り外すことができる蓋取り具を提供することを目的とする。
【０００６】
【課題を解決するための手段】
以上の課題を解決するため、筒体に折曲げ接合されている蓋を取り外すことができるようにした蓋取り具であって、第一の部材と第二の部材とをその長さ方向における任意の一点において軸により回動可能に連結し、前記第一の部材の一端には、前記第二の部材に向かって凸となる突起部が設けられており、前記第二の部材には、前記突起部に対向する位置に押え部が設けられており、前記突起部を前記筒体と前記蓋とが折曲げ接合されている折曲げ端部の方向から折曲げ部の内部方向に挿入し、前記突起部と前記押え部との間に前記折曲げ部を挟み込み、前記折曲げ部を折り返すことによって、前記蓋を前記筒体から取り外すことができるようにしたことを特徴とする蓋取り具を提供する。
【０００７】
筒体についてはどのようなものであってもよいが、例えば、飲料用の容器としての缶などがある。
【０００８】
筒体と蓋とは、折曲げ接合により取付けられている。即ち、筒体と蓋との端部同士を重ねて筒体の外周壁方向に折曲げることにより取付けられている。
【０００９】
第一の部材と第二の部材とは、その長さ方向における任意の一点において軸により回動可能に連結されており、第一の部材と第二の部材の一端には把手が設けられており、これらの把手を軸を中心として開閉させることにより、把手の反対側に設けられている突起部と押え部との間に物を挟むことができるようになっている。
【００１０】
第一の部材の端部であって、把手の反対側に位置している端部には、第二の部材に向かって凸となるように突起部が設けられており、第二の部材には、この突起部に対向する位置に押え部が設けられている。
【００１１】
そして、この突起部を筒体と蓋とが折曲げ接合されている折曲げ端部の方向から折曲げ部の内部方向に挿入し、この突起部と押え部との間に折曲げ部を挟み込み、この折曲げ部を折り返すことによって、筒と蓋との接合部を外すことができ、筒体から蓋を取り外すことができるようになる。
【００１２】
この突起部は第一の部材の外側において前記第一の部材と平行に延びるように設け、押え部はこの突起部に対応して第二の部材の外側に設けることにより、第一の部材と第二の部材の外側で折曲げ部を挟み込むようにすることができる。
【００１３】
また、突起部を第一の部材の両側に二つ設け、これに対向して設けられている押え部も、この二つの突起部の双方に対向する長さを有するものとして形成することにより、第一の部材及び第二の部材の両側方のどちら側でも折曲げ部を挟み込むことができ、例えば、右利きと左利きのどちらの人も利き腕で蓋取り具を使用することができる。
【００１４】
さらに、押え部には、突起部の方向に凸となる引っ掛け部を設けておくことにより、折曲げ部がこの押え部の方向に凸となっているような場合に、この折曲げ部に引っ掛けることができ便利である。
【００１５】
また、突起部が磁気を帯びていることにより、例えば、突起部を磁石で形成することにより、筒体がスチールでできている場合に、この突起部が筒体の方向に引っ張られ、突起部と押え部との間に折曲げ部を挟み込んだ場合に、この突起部が外れてしまうことがなくなる。
【００１６】
【発明の実施の形態】
図１は、本発明の一実施形態に係る蓋取り具１００の上方斜視図である。
【００１７】
蓋取り具１００は、第一の部材１０１と第二の部材１０２とを軸１０３で連結し、この軸１０３を中心として回動自在にされており、第一の部材１０１の把手部１０１ａと第二の部材１０２の把手部１０２ａとの間隔Ａを開けることにより、軸１０３を挟んだ反対側１０１ｂ、１０２ｂの間隔Ｂも開けることができる。
【００１８】
また、把手部１０１ａ、１０２ａの間隔Ａを閉じることにより、軸１０３を挟んだ反対側１０１ｂ、１０２ｂの間隔Ｂも閉じることができる。
【００１９】
第一の部材１０１の把手部１０１ａの軸１０３を挟んだ反対側１０１ｂの端部１０１ｃには、第二の部材１０２に向かって凸となるように二つの突起部１０４Ａ、１０４Ｂが設けられている。
【００２０】
ここで、この突起部１０４Ａ、１０４Ｂは、第一の部材１０１ｂの外側において第一の部材１０１ｂと平行に延びている。
【００２１】
なお、本実施形態では、第一の部材１０１と第二の部材１０２とをその長さ方向のほぼ中央部で連結しているが、これは、間隔Ｂをどの程度開けるか等を考慮して適時選択することができる。
【００２２】
各突起部１０４Ａ、１０４Ｂの先端部１０４ａは、図５で表されているように、缶１１０の折り返し端部１１４から、折り返し部１１３の内部に挿入することができる程度に尖っている必要がある。
【００２３】
また、この突起部１０４Ａ、１０４Ｂの高さＸについても、この突起部１０４Ａ、１０４Ｂの先端部１０４Ａａ、１０４Ｂａを缶１１０の折り返し端部１１４から、折り返し部１１３の内部に挿入することができる程度の高さＸを有している必要がある。
【００２４】
本実施形態においては、第一の部材１０１の両側方に二つの突起部１０４Ａ、１０４Ｂを設けているため、右手又は左手のどちらの手で把手部１０１ａ、１０２ａを握ったとしてもこの突起部１０４Ａ、１０４Ｂを使って、缶１１０の筒体１１１から蓋１１２を外すことができるようにされている。
【００２５】
即ち、把手部１０１ａ、１０２ａを右手で握った場合には、図１の右側の突起部１０４Ｂを使って筒体１１１から蓋１１２を外し、また、把手部１０１ａ、１０２ａを左手で握った場合には、図１の左側の突起部１０４Ａを使って筒体１１１から蓋１１２を取ることができる。
【００２６】
従って、本実施形態に係る蓋取り具１００によれば、右利き及び左利きのどちらの人でも利き腕を使ってこの蓋取り具１００を使うことができる。
【００２７】
なお、図２に表されているように、二つの突起部１０４Ａ、１０４Ｂに代えて、第一の部材１０１の突端部１０１ｄに突起部２０４を一つ設けるようにすることも可能である。
【００２８】
第二の部材１０２には、突起部１０４Ａ、１０４Ｂに対向する位置に押え部１０５が設けられている。
【００２９】
押え部１０５の形状・大きさは、第一の部材１０１に設けられている突起部１０４Ａ、１０４Ｂとの間に缶１１０の折曲げ部１１３を挟み込むことができる範囲で適時選択することができる。
【００３０】
なお、本実施形態においては、第一の部材１０１の両側方に突起部１０４Ａ、１０４Ｂが設けられている関係から、押え部１０５は、第二の部材１０２の長さ方向と直交する方向（幅方向）において、第二の部材１０２の全幅を越えて延びる部材として形成されている。
【００３１】
また、図５に表されているように、突起部１０４Ａ、１０４Ｂと押え部１０５との間に缶１１０の折曲げ部１１３を挟み込んだ場合に、この折曲げ部１１３が押え部１０５の方向に凸となるように形成されている場合には、この折曲げ部１１３に引っ掛けることができるようにするため、図３に表されているように、押え部１０５の両側に突起部１０４Ａ、１０４Ｂの方向に凸となる引っ掛け部３０６Ａ、３０６Ｂを形成しておくことも可能である。
【００３２】
なお、この引っ掛け部３０６Ａ、３０６Ｂの形状・大きさは、缶１１０の折曲げ部１１３に引っ掛けることができる範囲で適時選択することができる。
【００３３】
また、この引っ掛け部３０６Ａ、３０６Ｂを形成する位置としては、突起部１０４Ａ、１０４Ｂと押え部１０５との間に缶１１０の折曲げ部１１３を挟み込むことができる範囲で適時選択することができる。
【００３４】
例えば、図４に表されているように、第一の部材１０１の突端部１０１ｄに突起部２０４を一つ設けている場合には、第二の部材１０２にも押え部４０５も一つ設けておけばでよく、この押え部４０５に設けられている引っ掛け部４０６も一つ設けておけば充分である。
【００３５】
なお、図４のように第一の部材１０１の突端部１０１ｄに突起部２０４を一つ設け、これに対向する位置に押え部４０５を設け、さらに、この押え部４０５に引っ掛け部４０６を設けた場合には、突起部２０４と引っ掛け部４０６がぶつかり合わないようにし、突起部２０４と押え部４０５との間に缶１１０の折曲げ部１１３を挟み込むことができるようにするため、押え部４０５を突起部２０４と対向する位置よりも第二の部材１０２の長さ方向に延ばした部材として形成しておき、この押え部４０５の突端部４０５ａに引っ掛け部４０６を設ける必要がある。
【００３６】
以上のように構成される蓋取り具１００は、図５から図７に表されているように使用される。
【００３７】
図５に表されているように、缶１１０は、筒体１１１の端部と蓋１１２の端部を重ねて折曲げることにより、接合されている。
【００３８】
蓋取り具１００の第一の部材１０１に設けられている突起部１０４Ａ、１０４Ｂを折曲げ端部１１４の方向から折曲げ部１１３の内部に向かって挿入する（図６参照。）。
【００３９】
次に、図６に表されているように、折曲げ部１１３の内部に突起部１０４Ａ、１０４Ｂを挿入し、この突起部１０４Ａ、１０４Ｂと押え部１０５との間に折曲げ部１０３を挟み込んだ状態で、突起部１０４Ａ、１０４Ｂを折曲げ部１０３を折り返す方向、即ち、押え部１０５を中心軸とし、図６におけるＣ方向に回転させることで、図７に表されているように、この折曲げ部１０３を折り返すことができる。
【００４０】
なお、通常、飲料用の缶は、内部の水溶液がこぼれないように多重に折曲げられているが、上述と同様の手順を繰り返すことにより、多重に折曲げられている折曲げ部を折り返すことができ、筒体１１１から蓋１１２を取り外すことができるようになる。
【００４１】
【発明の効果】
以上のように、本発明を構成したので、筒体に折曲げ接合されている蓋を取り外すことができる。
【００４２】
また、このように筒体から蓋と取り外すことができるため、これらを異なる素材で作製した場合でも、容易に分別してリサイクルすることができる。
【図面の簡単な説明】
【図１】一の実施形態に係る蓋取り具１００の上方斜視図。
【図２】突起部１０４Ａ、１０４Ｂの変形例
【図３】引っ掛け部３０６を表した変形例。
【図４】引っ掛け部４０６を表した変形例。
【図５】蓋取り具１００の使用例
【図６】蓋取り具１００の使用例
【図７】蓋取り具１００の使用例
【符号の説明】
１００　蓋取り具
１０１　第一の部材
１０２　第二の部材
１０３　軸
１０４、２０４　突起部
１０５、２０５、４０５　押え部
３０６、４０６　引っ掛け部
１１０　缶
１１１　筒体
１１２　蓋
１１３　折曲げ部
１１４　折曲げ端部
【図１】
2004010133.tif 000003
【図２】
2004010133.tif 000004
【図３】
2004010133.tif 000005
【図４】
2004010133.tif 000006
【図５】
2004010133.tif 000007
【図６】
2004010133.tif 000008
【図７】
2004010133.tif 000009
【手続補正書】
【提出日】平成14年6月12日(2002.6.12)
【手続補正１】
【補正対象書類名】図面
【補正対象項目名】全図
【補正方法】変更
【補正の内容】
【図１】
2004010133.tif 000010
【図２】
2004010133.tif 000011
【図３】
2004010133.tif 000012
【図４】
2004010133.tif 000013
【図５】
2004010133.tif 000014
【図６】
2004010133.tif 000015
【図７】
2004010133.tif 000016